(57)【要約】      （修正有）【課題】一つの電球により調色調光照明を実現できるランプを提供する。【解決手段】ランプは、口金部、光源部及び透光カバーを含み、透光カバーが口金部に接続されて収容空間を形成し、光源部が収容空間に取り付けられ、光源部が支持芯柱及びライトバー２２を含み、支持芯柱の第一端が口金部に固定され、ライトバーが一本の白色光フィラメント２２１及び複数本のカラーフィラメントを含み、複数本のカラーフィラメントが並列してカラーストリップ２２２を構成し、カラーストリップが支持芯柱の第二端から第一端までの方向に沿って支持芯柱の中心軸線の周りに螺旋状に設置され、白色光フィラメントが支持芯柱の第一端から第二端までの方向に沿って支持芯柱の中心軸線の周りに螺旋状に設置され、白色光フィラメントと複数本のカラーフィラメントがそれぞれ単独で発光するか又は白色光フィラメントと複数本のカラーフィラメントとの間が任意に組み合わせて発光する。【選択図】図３
0003232505.tif 000002
【実用新案登録請求の範囲】
【請求項１】
灯具であって、口金部（１０）、光源部（２０）及び透光カバー（３０）を含み、前記透光カバー（３０）は前記口金部（１０）に接続されて収容空間を形成し、前記光源部（２０）は前記収容空間に取り付けられ、かつ前記光源部（２０）は前記口金部（１０）に電気的に接続され、前記光源部（２０）は支持芯柱（２１）及びライトバー（２２）を含み、前記支持芯柱（２１）の第一端は前記口金部（１０）に固定され、前記ライトバー（２２）は一本の白色光フィラメント（２２１）及び複数本のカラーフィラメントを含み、前記複数本のカラーフィラメントは並列してカラーストリップ（２２２）を構成し、前記白色光フィラメント（２２１）の一端と前記カラーストリップ（２２２）の一端はいずれも前記支持芯柱（２１）の第二端に接続され、前記カラーストリップ（２２２）は前記支持芯柱（２１）の第二端から第一端までの方向に沿って前記支持芯柱（２１）の中心軸線の周りに螺旋状に設けられ、前記白色光フィラメント（２２１）は前記支持芯柱（２１）の第一端から第二端までの方向に沿って前記支持芯柱（２１）の中心軸線の周りに螺旋状に設けられ、前記白色光フィラメント（２２１）及び前記複数本のカラーフィラメントはそれぞれ前記口金部（１０）に電気的に接続され、前記白色光フィラメント（２２１）と前記複数本のカラーフィラメントがそれぞれ単独で発光するか又は前記白色光フィラメント（２２１）と前記複数本のカラーフィラメントとの間が任意に組み合わせて発光する
ことを特徴とする灯具。
【請求項２】
前記白色光フィラメント（２２１）から前記支持芯柱（２１）の中心軸線までの螺旋半径、各本の前記カラーフィラメントから前記支持芯柱（２１）の中心軸線までの螺旋半径はいずれも等しい
ことを特徴とする請求項１に記載の灯具。
【請求項３】
前記支持芯柱（２１）の第一端から第二端までの方向に、前記カラーストリップ（２２２）は螺旋半径が徐々に縮小して前記支持芯柱（２１）の中心軸線の周りに螺旋設置され、前記白色光フィラメント（２２１）から前記支持芯柱（２１）の中心軸線までの螺旋半径が等しく、かつ前記白色光フィラメント（２２１）から前記支持芯柱（２１）の中心軸線までの螺旋半径が前記カラーストリップ（２２２）から前記支持芯柱（２１）の中心軸線までの最小螺旋半径以下である
ことを特徴とする請求項１に記載の灯具。
【請求項４】
前記支持芯柱（２１）の第一端から第二端までの方向に、前記白色光フィラメント（２２１）、前記カラーストリップ（２２２）は螺旋半径が徐々に縮小して前記支持芯柱（２１）の中心軸線の周りに螺旋設置され、かつ前記白色光フィラメント（２２１）から前記支持芯柱（２１）の中心軸線までの最大螺旋半径は前記カラーストリップ（２２２）から支持芯柱（２１）の中心軸線までの最小螺旋半径以下である
ことを特徴とする請求項１に記載の灯具。
【請求項５】
前記ライトバー（２２）はさらに第一金属ベース層（２２３）及び第二金属ベース層（２２４）を含み、前記複数本のカラーフィラメントは前記第一金属ベース層（２２３）に並列に貼り付けられて前記カラーストリップ（２２２）を構成し、前記白色光フィラメント（２２１）は前記第二金属ベース層（２２４）に貼り付けられ、前記第一金属ベース層（２２３）と前記第二金属ベース層（２２４）はいずれも前記支持芯柱（２１）に向かって前記支持芯柱（２１）の中心軸線の周りに設置され、かつ前記第一金属ベース層（２２３）、前記第二金属ベース層（２２４）と前記支持芯柱（２１）との間にいずれも間隔を有する
ことを特徴とする請求項２乃至４のいずれか一項に記載の灯具。
【請求項６】
前記支持芯柱（２１）は中心ロッド（２１１）、複数の第一接続電極（２１２）及び一つの第二接続電極（２１３）を含み、前記中心ロッド（２１１）の第一端は前記口金部（１０）に固定され、前記複数の第一接続電極（２１２）は前記中心ロッド（２１１）のロッド本体の中部位置に設置され、前記第二接続電極（２１３）は前記中心ロッド（２１１）に沿って前記中心ロッド（２１１）の第二端までに延びて固定され、前記白色光フィラメント（２２１）の第一接続端、前記複数本のカラーフィラメントの第一接続端はそれぞれ前記複数の第一接続電極（２１２）に一対一に対応して電気的に接続され、前記白色光フィラメント（２２１）の第二接続端、前記複数本のカラーフィラメントの第二接続端はいずれも前記第二接続電極（２１３）に電気的に接続され、前記第一接続電極（２１２）と前記第二接続電極（２１３）はそれぞれ前記口金部（１０）の正極端子と負極端子に電気的に接続されることを特徴とする請求項５に記載の灯具。
【請求項７】
前記支持芯柱（２１）はさらに複数の補助金属ロッド（２１４）を含み、前記複数の補助金属ロッド（２１４）の第一端はいずれも前記中心ロッド（２１１）に接続され、一部の前記補助金属ロッド（２１４）の第二端は前記第一金属ベース層（２２３）に接続され、残りの前記補助金属ロッド（２１４）の第二端は前記第二金属ベース層（２２４）に接続されることを特徴とする請求項６に記載の灯具。
【請求項８】
前記口金部（１０）は放熱部品（１１）及び駆動部品（１２）を含み、前記放熱部品（１１）は前記透光カバー（３０）に接続されて前記収容空間を形成し、前記駆動部品（１２）は前記放熱部品（１１）に接続されて前記収容空間に位置し、前記複数の第一接続電極（２１２）及び一つの前記第二接続電極（２１３）はそれぞれ前記駆動部品（１２）に電気的に接続されることを特徴とする請求項６に記載の灯具。
【請求項９】
前記白色光フィラメント（２２１）と各本の前記カラーフィラメントはそれぞれ蛍光層で包まれ、前記複数本のカラーフィラメントの間は前記蛍光層により並列配置形式に被覆成形され、かつ前記白色光フィラメント（２２１）と各本の前記カラーフィラメントはいずれも一本の金属基板を含み、前記蛍光層は前記金属基板を被覆することを特徴とする請求項１に記載の灯具。
【請求項１０】
前記ライトバー（２２）はさらに第一金属ベース層（２２３）を含み、前記複数本のカラーフィラメントは前記第一金属ベース層（２２３）に並列に貼り付けられて前記カラーストリップ（２２２）を構成し、前記第一金属ベース層（２２３）は前記支持芯柱（２１）に向かって前記支持芯柱（２１）の中心軸線の周りに設置され、かつ前記第一金属ベース層（２２３）と前記支持芯柱（２１）との間に間隔を有し、
前記白色光フィラメント（２２１）は蛍光層で包まれ、かつ前記蛍光層にさらに一本の金属基板が包まれることを特徴とする請求項１に記載の灯具。
【考案の詳細な説明】
【技術分野】
【０００１】
本考案は照明装置の技術分野に属し、特に灯具に関する。
【背景技術】
【０００２】
電気と電灯との結合は、夜間を照明することから、現在の夜間を照明すると同時にキレイな光彩世界をもたらす。現在、人々はランプを利用して異なる色の光を発し、次にこれらの異なる色の光を複合し、それにより多彩な雰囲気カラー照明を実現する。従来の技術において、同一のＬＥＤランプにおいて異なるＬＥＤランプビーズを利用して異なる色の光を発し、かつランプカバー内に異なる色の光を複合した後に所望の色の光を得て、その後に発光して照射し、このようなＬＥＤランプは一般的に平面発光形式のパネルランプである。しかし、より多くかつ線状光源で発光する電球形式を応用するランプにおいて、暫く一つの電球により調色調光照明を実現することができるランプ製品がない
【考案の概要】
【考案が解決しようとする課題】
【０００３】
本考案の目的はランプを提供することであり、従来の技術の線状光源で発光する電球形式のランプにおいて一つの電球により調色調光照明を実現できるランプ製品の欠乏の問題を解決することを主旨とする。
【０００４】
上記目的を達成するために、本考案が採用する技術的手段は以下のとおりである：灯具であって、口金部、光源部及び透光カバーを含み、透光カバーが口金部に接続されて収容空間を形成し、光源部が収容空間に取り付けられ、かつ光源部が口金部に電気的に接続され、光源部が支持芯柱及びライトバーを含み、支持芯柱の第一端が口金部に固定され、ライトバーが一本の白色光フィラメント及び複数本のカラーフィラメントを含み、複数本のカラーフィラメントが並列してカラーストリップを構成し、白色光フィラメントの一端とカラーストリップの一端がいずれも支持芯柱の第二端に接続され、カラーストリップが支持芯柱の第二端から第一端までの方向に沿って支持芯柱の中心軸線の周りに螺旋状に設置され、白色光フィラメントが支持芯柱の第一端から第二端までの方向に沿って支持芯柱の中心軸線の周りに螺旋状に設置され、白色光フィラメントと複数本のカラーフィラメントがそれぞれ口金部に電気的に接続され、白色光フィラメントと複数本のカラーフィラメントがそれぞれ単独で発光するか又は白色光フィラメントと複数本のカラーフィラメントとの間に任意に組み合わせて発光する。
【０００５】
好ましくは、白色光フィラメントから支持芯柱の中心軸線までの螺旋半径、各本のカラーフィラメントから支持芯柱の中心軸線までの螺旋半径はいずれも等しい。
【０００６】
好ましくは、支持芯柱の第一端から第二端までの方向に、カラーライトランプは螺旋半径が徐々に縮小して支持芯柱の中心軸線の周りに螺旋設置され、白色光フィラメントから支持芯柱の中心軸線までの螺旋半径が等しく、かつ白色光フィラメントから支持芯柱の中心軸線までの螺旋半径がカラーライトランプから支持芯柱の中心軸線までの最小螺旋半径以下である。
【０００７】
好ましくは、支持芯柱の第一端から第二端までの方向に、白色光フィラメント、カラーストリップは螺旋半径が徐々に縮小して支持芯柱の中心軸線の周りに螺旋設置され、かつ白色光フィラメントから支持芯柱の中心軸線までの最大螺旋半径はカラーストリップから支持芯柱の中心軸線までの最小螺旋半径以下である。
【０００８】
好ましくは、ライトバーはさらに第一金属ベース層及び第二金属ベース層を含み、複数本のカラーフィラメントは第一金属ベース層に並列に貼り付けられてカラーストリップを構成し、白色光フィラメントは第二金属ベース層に貼り付けられ、第一金属ベース層と第二金属ベース層はいずれも支持芯柱に向かって支持芯柱の中心軸線の周りに設置され、かつ第一金属ベース層、第二金属ベース層と支持芯柱との間にいずれも間隔を有する。
【０００９】
好ましくは、支持芯柱は中心ロッド、複数の第一接続電極及び一つの第二接続電極を含み、中心ロッドの第一端は口金部に固定され、複数の第一接続電極は中心ロッドのロッド本体の中部位置に設置され、第二接続電極は中心ロッドに沿って中心ロッドの第二端までに延びて固定され、白色光フィラメントの第一接続端、複数本のカラーフィラメントの第一接続端は複数の第一接続電極に一対一に対応して電気的に接続され、白色光フィラメントの第二接続端、複数本のカラーフィラメントの第二接続端はいずれも第二接続電極に電気的に接続され、第一接続電極と第二接続電極はそれぞれ口金部の正極端子と負極端子に電気的に接続される。
【００１０】
好ましくは、支持芯柱はさらに複数の補助金属ロッドを含み、複数の補助金属ロッドの第一端はいずれも中心ロッドに接続され、一部の補助金属ロッドの第二端は第一金属ベース層に接続され、残りの補助金属ロッドの第二端は第二金属ベース層に接続される。
【００１１】
好ましくは、口金部は放熱部品及び駆動部品を含み、放熱部品は透光カバーに接続されて収容空間を形成し、駆動部品は放熱部品に接続されて収容空間に位置し、複数の第一接続電極及び一つの第二接続電極はそれぞれ駆動部品に電気的に接続される。
【００１２】
好ましくは、白色光フィラメントと各本のカラーフィラメントはそれぞれ蛍光層で包まれ、複数本のカラーフィラメントの間は蛍光層により並列配置形式に被覆成形され、かつ白色光フィラメントと各本のカラーフィラメントはいずれも一本の金属基板を含み、蛍光層は該金属基板を被覆する。
【００１３】
好ましくは、ライトバーはさらに第一金属ベース層を含み、複数本のカラーフィラメントは第一金属ベース層に並列に貼り付けられてカラーストリップを構成し、第一金属ベース層は支持芯柱に向かって支持芯柱の中心軸線の周りに設置され、かつ第一金属ベース層と支持芯柱との間に間隔を有し、白色光フィラメントは蛍光層で包まれ、かつ蛍光層にさらに一本の金属基板が包まれる。
【考案の効果】
【００１４】
本考案は少なくとも以下の有益な効果を有する。
本考案が提供する照明、調光調色機能を有するランプを応用して発光照明を行い、それぞれ異なる色の光を発する複数本の発光フィラメントにより、口金部の制御でそれぞれ単独で発光するか又は任意の組み合わせで発光し、それにより多色発光照明と調光調色発光照明を実現し、複数の異なるシーンの照明作業要求を満たすことができる。
【００１５】
本考案の実施例における技術的手段をより明確に説明するために、以下に実施例又は従来の技術の説明に必要な図面を簡単に紹介し、明らかに、以下に記載の図面は本考案のいくつかの実施例に過ぎず、当業者にとって、創造的労働をしない前提で、これらの図面に基づいて他の図面を取得することができる。
【図面の簡単な説明】
【００１６】
【図１】本考案の第１の実施例のランプの立体構造概略図である。
【図２】本考案の第１の実施例のランプの分解図である。
【図３】本考案の第１の実施例のランプにおける光源部の構造概略図である。
【図４】本考案の第１の実施例のランプにおける光源部の分解図である。
【図５】本考案の第１の実施例のランプにおけるライトバーの構造概略図である。
【図６】本考案の第１の実施例のランプにおけるライトバーが螺旋設置される構造概略図である。
【図７】本考案の第２の実施例のランプにおける光源部の支持芯柱の中心軸線に沿って切断された断面図である。
【図８】本考案の第３の実施例に係る灯具における光源部の支持芯金の中心軸線に沿った断面図である。
【考案を実施するための形態】
【００１７】
以下に本考案の実施例を詳細に説明し、前記実施例の例を図面に示し、ここで始終同一又は類似の符号は同一又は類似の部品又は同一又は類似の機能を有する部品を示す。以下に図面を参照して説明した実施例は例示的なものであり、本考案を解釈するためのものであり、本考案を限定するものと理解すべきではない。
【００１８】
本考案の説明において、理解すべきことは、用語「長さ」、「幅」、「上」、「下」、「前」、「後」、「左」、「右」、「垂直」、「水平」、「頂」、「底」、「内」、「外」等の指示された方位又は位置関係は図面に示された方位又は位置関係に基づくものであり、本考案を説明し説明を簡略化するためのものだけであり、指定された装置又は素子が特定の方位を有し、特定の方位で構成され操作されることを指示するか又は示唆するものではなく、したがって本考案を限定するものと理解すべきではない。
【００１９】
また、用語「第１」、「第２」等は単に目的を説明するために用いられ、相対的な重要性を指示するか又は暗示するか又は指示された技術的特徴の数量を暗黙的に示すと理解されるべきではない。これにより、「第１」、「第２」等が限定された特徴は一つ又は複数の該特徴を明示的又は暗黙的に含むことができる。本考案の説明において、「複数」の意味は二つ又は二つ以上であり、特に明確で具体的な限定がない限りである。
本考案において、特に明確な規定及び限定がない限り、用語「取り付け」、「連接」、「接続」、「固定」等の用語は広義に理解すべきであり、例えば、固定接続であってもよく、取り外し可能な接続であってもよく、又は一体であってもよい；機械的な接続であってもよく、電気的な接続であってもよい；直接接続であってもよく、中間媒体を介して間接的に接続されてもよい；二つの素子内部の連通又は二つの素子の相互作用関係であってもよい。当業者にとって、具体的な状況に応じて上記用語の本考案における具体的な意味を理解することができる。
【００２０】
図１〜図６に示すように、それは本考案の第１の実施例のランプの構造概略図を示す。本考案の第１の実施例が提供するランプであって、口金部１０、光源部２０及び透光カバー３０を含み、ここで、光源部２０は支持芯柱２１及びライトバー２２を含む。配置成形過程において、透光カバー３０は口金部１０に接続されて収容空間を形成し、光源部２０は収容空間に取り付けられ、かつ光源部２０は口金部１０に電気的に接続され、口金部１０は家庭用回路に接続されて給電を行い、かつ光源部２０の発光を制御する。支持芯柱２１の第一端は口金部１０に固定され、支持芯柱２１はライトバー２２を組み立てる支持部材として、次にライトバー２２を螺旋状に設置することにより、ライトバー２２は収容空間内周に光を出射し、大きな発光領域範囲を有することができる。該ランプにおいて、ライトバー２２は一本の白色光フィラメント２２１及び複数本のカラーフィラメントを含み、複数本のカラーフィラメントは並列してカラーストリップ２２２を構成し、図３〜図６に示すように、白色光フィラメント２２１の一端とカラーストリップ２２２の一端はいずれも支持芯柱２１の第二端に接続され、カラーストリップ２２２は支持芯柱２１の第二端から第一端までの方向に沿って支持芯柱２１の中心軸線の周りに螺旋状に設置され、白色光フィラメント２２１は支持芯柱２１の第一端から第二端までの方向に沿って支持芯柱２１の中心軸線の周りに螺旋状に設置され、白色光フィラメント２２１と複数本のカラーフィラメントはそれぞれ口金部１０に電気的に接続され、口金部１０により給電されて制御を実現し、白色光フィラメント２２１と複数本のカラーフィラメントはそれぞれ単独で発光するか又は白色光フィラメント２２１と複数本のカラーフィラメントとの間に任意に組み合わせて発光する。各本の発光フィラメントがそれぞれ独立して発光する場合、単色発光照明を実現し；複数本の発光フィラメントの間に任意の組み合わせを行って発光する場合、調光調色機能を実現し、異なる組み合わせの発光も発光色温度に対して異なる調整を実現することができ、それによりランプの発光が多様化し、異なるシーンの照明作業要求を満たす。
【００２１】
本考案が提供する照明、調光調色機能を有するランプを応用して発光照明を行い、それぞれ異なる色の光を発する複数本の発光フィラメントにより、口金部１０の制御でそれぞれ単独で発光するか又は任意の組み合わせで発光し、それにより多色発光照明と調光調色発光照明を実現し、複数の異なるシーンの照明作業要求を満たすことができる。
【００２２】
第１の実施例において、白色光フィラメント２２１と複数本のカラーフィラメントはそれぞれ蛍光層（図示せず）で包まれ、したがって複数本のカラーフィラメントの間は蛍光層により複数本のカラーフィラメントを覆って並列に配列してカラー光ストリップ２２２を形成する。かつ、白色光フィラメント２２１及び各カラーフィラメントにいずれも細長い金属基板（図示せず）が含まれ、該金属基板の具体的な材質は鉄、銅、銅合金、アルミニウム合金等であってもよく、金属基板は好ましくはアルミニウム合金材質であり、このようにして白色光フィラメント２２１及びカラー光ランプストリップ２２２をそれぞれ支持芯柱２１の中心軸線の周りに螺旋設置を実現し、螺旋形状が安定して変形しないように保持されることができる。
【００２３】
本願において、白色光フィラメント２２１と各カラーフィラメントはいずれもＬＥＤフィラメントである。第１の実施例において、ＬＥＤフィラメントは金属基板を採用し、かつ金属基板に絶縁層を設置し、次に絶縁層にＬＥＤランプビーズ及び回路を設置し、それによりＬＥＤフィラメントの原形を予備的に形成し、次に蛍光層を利用してカバーパッケージを行い、完了した後に一本のＬＥＤフィラメント製品に成形し（白色光フィラメント２２１と各本のカラーフィラメントの製造過程がほぼ同じであり、相違点は採用されたＬＥＤランプビーズが発する光の色が異なるか、又は異なる蛍光層を採用することである）、次に各本の完了したカラーフィラメントを並列に配置しカラーストリップ２２２に成形するように接続し、かつ白色光フィラメント２２１とカラーストリップ２２２の対応する端部に対してフィラメント接続部２２１１により連接を実現する。
【００２４】
図２〜図４、図６に示すように、第１の実施例において、ライトバー２２の螺旋設置が完了した後、白色光フィラメント２２１から支持芯柱２１の中心軸線までの螺旋半径、各カラーフィラメントから支持芯柱２１の中心軸線までの螺旋半径はいずれも等しく、照明領域範囲はより大きい範囲に拡大することができる。
【００２５】
又は、第１の実施例のランプにおいて、螺旋状に設置されたライトバー２２において、支持芯柱２１の第一端から第二端までの方向に、カラーストリップ２２２は螺旋半径が徐々に縮小して支持芯柱２１の中心軸線の周りに螺旋状に設置され、白色光フィラメント２２１から支持芯柱２１の中心軸線までの螺旋半径が等しく、かつ白色光フィラメント２２１から支持芯柱２１の中心軸線までの螺旋半径がカラーストリップ２２２から支持芯柱２１の中心軸線までの最小螺旋半径以下である。この時、ライトバー２２は周方向に光を出射して透光カバー３０に照射した後に光を出射して照明し、照明領域範囲はより広い範囲に拡大することができ、かつ直下方向の発光照明に対して、半径が徐々に縮小して支持芯柱２１の周りに螺旋設置する方式を採用するとライトバー２２が影を形成することを効果的に回避し、直下方向の照明効果を向上させる。
【００２６】
さらに又は、支持芯柱２１の第一端から第二端までの方向に、白色光フィラメント２２１、カラーライトランプ２２２は螺旋半径が徐々に縮小して支持芯柱２１の中心軸線の周りに螺旋設置され、かつ白色光フィラメント２２１から支持芯柱２１の中心軸線までの最大螺旋半径はカラーライトランプ２２２から支持芯柱２１の中心軸線までの最小螺旋半径以下である。この時、ライトバー２２は周方向に光を出射して透光カバー３０に照射した後に光を出射して照明し、照明領域範囲はより広い範囲に拡大することができ、かつ直下方向の光出射照明に対して、半径が徐々に縮小して支持芯柱２１の周りに螺旋設置する方式を採用するとライトバー２２が影を形成することを効果的に回避し、直下方向の照明効果を向上させる。
【００２７】
各本のフィラメントは金属ベース層補助の方式で成形を実現しかつ形状の安定を保持するか、又は蛍光層で細長い金属基板を包む方式で成形を実現しかつ形状の安定を保持するか、いずれも螺旋成形をよく実現しかつ螺旋形状の安定を保持することができる。白色光フィラメント２２１とカラーストリップ２２２について、図５及び図６に示すように、白色光フィラメント２２１とカラーストリップ２２２の一端をフィラメント接続部２２１１により一体に接続し（即ち、白色光フィラメント２２１とカラーストリップ２２２との間に僅かな接続位置があり、接続完了後カバー接続位置が一本の接続線に形成される）、白色光フィラメント２２１とカラーストリップ２２２の他の部分において、両者の間が完全に分離し、即ち、白色光フィラメント２２１とカラーストリップ２２２との間の分離位置が図５の破線に示す分離線２２１２である。
【００２８】
図５及び図６に示すように、カラーストリップ２２２は赤色光フィラメント２２２１、緑色光フィラメント２２２２及び青色光フィラメント２２２３を含む。該ランプが照明を行う場合、赤色光フィラメント２２２１、緑色光フィラメント２２２２、青色光フィラメント２２２３又は白色光フィラメント２２１はそれぞれ単一の電気量で単色光発光照明を実現することができ、及びそれらの間に任意の組み合わせを行った後に組み合わせ発光方式で調光調色発光照明を実現し、赤色光フィラメント２２２１と緑色光フィラメント２２２２を同時に点灯して黄色光発光照明を実現し、緑色光フィラメント２２２２と青色光フィラメント２２２３を同時に点灯して青色光発光照明を実現し、赤色光フィラメント２２２１と青色光フィラメント２２２３を同時に点灯してマゼンタ発光照明を実現し、赤色光フィラメント２２２１と緑色光フィラメント２２２２と青色光フィラメント２２２３を同時に点灯して白色光発光照明を実現し、赤色光フィラメント２２２１と緑色光フィラメント２２２２と青色光フィラメント２２２３を同時に点灯して白色光発光照明を実現すると同時に白色光フィラメント２２１を同時に点灯するように制御して、より明るい白色光発光照明効果を形成する。
【００２９】
図３及び図４に示すように、支持芯柱２１は支持接続ヘッド２１０、中心ロッド２１１、複数の第一接続電極２１２及び一つの第二接続電極２１３を含む。第１の実施例において、中心ロッド２１１はガラス材質で製造成形され、かつ透光カバー３０は透明なガラスクラムシェルである。図２に示すように、口金部１０は放熱部品１１、駆動部品１２及び口金接続部品１３を含み、放熱部品１１は透光カバー３０に接続されて収容空間を形成し、中心ロッド２１１の第一端は支持接続ヘッド２１０により放熱部品１１に固定され、すなわち、支持接続ヘッド２１０はガラスクラムシェルと焼結してライトバー２２を配置する被覆空間を形成し、かつ該被覆空間内に不活性保護ガス、例えばヘリウム酸素混合ガスを充填し、ヘリウム酸素混合ガスによりライトバー２２が発光する時に集中した熱量をガラスクラムシェルに効果的に伝達することができ、放熱作用を達成し、次にガラスクラムシェルを放熱部品１１に接続して固定し、最後に口金接続部品１３を放熱部品１１に固定接続し、口金接続部品１３により家庭用回路に電気的に接続されて導通給電を実現する。複数の第一接続電極２１２は中心ロッド２１１のロッド本体の中部位置に設置され、第二接続電極２１３は中心ロッド２１１に沿って中心ロッド２１１の第二端まで延びて固定され、白色光フィラメント２２１の第一配線端、複数本のカラーフィラメントの第一配線端はそれぞれ複数本の第一接続電極２１２に一対一に対応して電気的に接続され、白色光フィラメント２２１の第二配線端、複数本のカラーフィラメントの第二配線端はいずれも第二接続電極２１３に電気的に接続され、第一接続電極２１２と第二接続電極２１３はそれぞれ口金部１０に電気的に接続され、すなわち、駆動部品１２は放熱部品１１に接続され、かつ収容空間に位置し、複数の第一接続電極２１２と一つの第二接続電極２１３はそれぞれ駆動部品１２に電気的に接続される。
【００３０】
第１の実施例において、駆動部品１２は制御モジュール及びインテリジェントモジュールを含み、制御モジュール及びインテリジェントモジュールは共に同じ回路基板に設置される。制御モジュールは技術が成熟したＭＣＵ制御チップを採用して組み立てを実現することができ、制御モジュールは複数本のフィラメントを制御し、それぞれ単独で発光するか又は任意の組み合わせで発光することを実現する。インテリジェントモジュールはブルートゥース（登録商標）、Ｗｉ−Ｆｉ、Ｚｉｇｂｅｅ  ３．０（ＺｉｇＢｅｅは、低速短距離伝送の無線ネットワークプロトコルである）を含むがこれらに限定されず、インテリジェントモジュールによりランプに指令伝達を行ってランプ動作を制御することを実現し、使用者に大きな利便性を提供する。
【００３１】
本考案の別の態様によれば、第２の実施例のランプを提供し、該ランプは第１の実施例のランプと比較して、以下の相違点を有する。
【００３２】
図７に示すように、ライトバー２２はさらに第一金属ベース層２２３及び第二金属ベース層２２４を含み、複数本のカラーフィラメントは第一金属ベース層２２３に並列に貼り付けられてカラーストリップ２２２を構成し、第一金属ベース層２２３によりカラーストリップ２２２の組立支持部材とし、白色光フィラメント２２１は第二金属ベース層２２４に貼り付けられ、第二金属ベース層２２４により白色光フィラメント２２１の組立支持部材とし、第一金属ベース層２２３及び第二金属ベース層２２４はいずれも金属延性及び固定形状形態を保持する成形性能を有する。第一金属ベース層２２３と第二金属ベース層２２４はいずれも支持芯柱２１に向かって支持芯柱２１の中心軸線の周りに設置され、かつ第一金属ベース層２２３、第二金属ベース層２２４と支持芯柱２１との間にいずれも間隔を有する。第一金属ベース層２２３及び第二金属ベース層２２４は各フィラメントが発光する時に生成した一部の熱量を吸収して伝達することができ、各フィラメントが放熱して温度を低下させて一定の動作温度範囲を保持することに役立つ。
【００３３】
第一金属ベース層２２３及び第二金属ベース層２２４はいずれもアルミニウム材質で製造される。
【００３４】
第２の実施例において、白色光フィラメント２２１と各カラーフィラメントはいずれもＬＥＤフィラメントである。具体的には、ＬＥＤフィラメントはフレキシブルＦＰＣ基板にＬＥＤランプビーズを設置し、かつフレキシブルＦＰＣ基板上の印刷回路により電気的な接続を実現し、それによりＬＥＤフィラメントの原形を初期形成し、フレキシブルＦＰＣ基板が非常に柔軟であり、螺旋成形を実現できないため、該原形のＬＥＤフィラメントを金属ベース層に接続し（カラーライトランプ２２２について、第一金属ベース層２２３の幅は三本のフレキシブルＦＰＣ基板の並列幅より僅かに大きく、白色光フィラメント２２１について、採用された第二金属ベース層２２４の幅は単一のフレキシブルＦＰＣ基板の幅より僅かに広い）、金属ベース層により螺旋成形を実現することに役立ち、かつフレキシブルＦＰＣ基板と金属ベース層との間に絶縁層を採用して絶縁を実現し、最後に蛍光層によりフレキシブルＦＰＣ基板とＬＥＤランプビーズを金属ベース層に被覆してパッケージし、完了した後に四本のＬＥＤフィラメントで構成されたライトバー２２に成形し、該ライトバー２２において、第一金属ベース層２２３と第二金属ベース層２２４との間は一段のフィラメント接続部により接続を実現する。
【００３５】
第２の実施例のランプは第１の実施例のランプと比較して、以上の構造が異なる以外に、他の構造がいずれも同じであるため、ここでは説明を省略する。
【００３６】
本考案の別の態様によれば、第三実施例のランプを提供し、該ランプは第２の実施例のランプと比較して、以下の相違点を有する。
【００３７】
図８に示すように、支持芯柱２１はさらに複数の補助金属ロッド２１４を含み、複数の補助金属ロッド２１４の第一端はいずれも中心ロッド２１１に接続され、一部の補助金属ロッド２１４の第二端は第一金属ベース層２２３に接続され、残りの補助金属ロッド２１４の第二端は第二金属ベース層２２４に接続される。一般的に、カラーストリップ２２２は螺旋状に支持芯柱２１の周りに一回巻回されるたびに補助金属ロッド２１４を用いて該カラーストリップ２２２の第一金属ベース層２２３に接続されてカラーストリップ２２２に対する補助支持の安定を実現し、螺旋状の安定を保持して変形されない。同様に、白色光フィラメント２２１が螺旋状に支持芯柱２１の周りに一回巻回されるたびに補助金属ロッド２１４を用いて該白色光フィラメント２２１に接続され、補助金属ロッド２１４により支持を補助して白色光フィラメント２２１を安定させる。
【００３８】
好ましくは、第一金属ベース層２２３、第二金属ベース層２２４はいずれもアルミニウム材質で製造され、補助金属ロッド２１４はモリブデンワイヤ又は鉄ニッケルメッキワイヤであってもよく、かつ補助金属ロッド２１４の第二端は第一金属ベース層２２３、第二金属ベース層２２４にいずれも溶接固定される。
【００３９】
第３の実施例のランプは第２の実施例のランプと比較して、以上の構造が異なる以外に、他の構造がいずれも同じであるため、ここでは説明を省略する。
【００４０】
本考案はさらに第４の実施例のランプ（第四実施例が図示せず）を提供し、第４の実施例において、ライトバー２２はさらに第一金属ベース層２２３を含み、複数本のカラーフィラメントは第一金属ベース層２２３に並列に貼り付けられてカラーストリップ２２２を構成し、第一金属ベース層２２３は支持芯柱２１に向かって支持芯柱２１の中心軸線の周りに設置され、かつ第一金属ベース層２２３と支持芯柱２１との間に間隔を有し、白色光フィラメント２２１は蛍光層で包まれ、かつ蛍光層にさらに細長い金属基板が包まれ、該金属基板の具体的な材質は鉄、銅、銅合金、アルミニウム合金等であってもよく、好ましくはアルミニウム合金材質である。第４の実施例において、カラーストリップ２２２上の第一金属ベース層２２３について、補助金属ロッド２１４を設置することにより、補助金属ロッド２１４の一端が支持芯柱２１に接続され、他端が第一金属ベース層２２３に溶接固定され、それによりカラーストリップ２２２に対して補助支持作用を形成する。白色光フィラメント２２１は蛍光層で包まれた金属基板により直接的に成形を実現しかつ螺旋形状を保持する。
【００４１】
第４の実施例のランプは第３の実施例のランプと比較して、以上の構造が異なる以外に、他の構造がいずれも同じであるため、ここでは説明を省略する。
【００４２】
以上の記載は本考案の好ましい実施例に過ぎず、本考案を限定するものではなく、本考案の精神及び原則内で行われたいかなる修正、同等置換及び改善等は、いずれも本考案の保護範囲内に含まれるべきである。
【符号の説明】
【００４３】
１０、口金部
１１、放熱部品
１２、駆動部品
１３、口金接続部品
２０、光源部
２１、支持芯柱
２１０、支持接続ヘッド
２１１、中心ロッド
２１２、第一接続電極
２１３、第二接続電極
２１４、補助金属ロッド
２２、ライトバー
２２１、白色光フィラメント
２２１１、フィラメント接続部
２２１２、分離線
２２２、カラーストリップ
２２２１、赤色光フィラメント
２２２２、緑色光フィラメント
２２２３、青色光フィラメント
２２３、第一金属ベース層
２２４、第二金属ベース層
３０、透光カバー
【図１】
0003232505.tif 000003
【図２】
0003232505.tif 000004
【図３】
0003232505.tif 000005
【図４】
0003232505.tif 000006
【図５】
0003232505.tif 000007
【図６】
0003232505.tif 000008
【図７】
0003232505.tif 000009
【図８】
0003232505.tif 000010